(57)【特許請求の範囲】
【請求項１】
複数本の脚部を有する支持台と、
該支持台に垂直に立設される主枠と、
該主枠に支持される揺動部材と、
該揺動部材に対して回動可能且つ上下動可能に内挿される上下動軸と、
前記揺動部材の姿勢を監視する状態検知手段と、
コンクリート床を水平に均すための均し部と、を備え、
前記均し部が一対の案内部を有するコの字状支持部材と、
それぞれの案内部に摺動自在に嵌め込まれる軸受けと、
該軸受けに固定され、コンクリート床を水平に均す均しバーと、を備え、
前記コの字状支持部材が上下動軸の下端部に接合されていることを特徴とするコンクリート床均し装置。  
【請求項２】
前記均し部が前記均しバーを操作するための操作レバーを備えていることを特徴とする請求項１記載のコンクリート床均し装置。
【請求項３】
前記操作レバーが均しバーに対して取り外し可能となっていることを特徴とする請求項２記載のコンクリート床均し装置。
【請求項４】
前記状態検知手段が、吊り下げ錘と、該吊り下げ錘を４側面で取り囲むセンサボックスと、を備え、前記吊り下げ錘が吊り下げられた状態で前記センサボックスの内側に吊り下げられていることを特徴とする請求項１記載のコンクリート床均し装置。
【請求項５】
前記主枠は、その上部に４側面によって取り囲む調節枠を備え、該調節枠には、揺動部材の姿勢を調節するための調節ネジが取り付けられていることを特徴とする請求項１記載のコンクリート床均し装置。
【請求項６】
前記均しバーの下端部に傾斜面が形成されていることを特徴とする請求項１記載のコンクリート床均し装置。
【発明の詳細な説明】
【技術分野】
【０００１】
本発明は、コンクリートが、打ち込まれた床を平らに均すコンクリート床均し装置に関する。 
【背景技術】
【０００２】
コンクリートやモルタルなどを用いて建築物の床面を施工する場合、先ず床面に打設された生コンクリート表面を平滑に均すための「床均し」が行われる。
「床均し」が完了すると、その状態のまま床は数時間放置され、その後床面仕上げ装置によるコンクリート床面の加圧平面化が行われる。
加圧平面化が完了すると、最後に手作業による最終仕上げが行われる。
【０００３】
このように、従来の床面施工工事は「床均し工程」、「加圧平面化工程」及び「最終仕上げ工程」の３工程からなり、これらの工程の中でも特に「床均し工程」の精度は全体の仕上がりの精度を大きく左右する。
そのため、「床均し工程」は熟練技能者（左官職人）が、かき棒、アルミ定木等の専用器具を用いて手作業で行っているのが現状である。
しかしながら現在、熟練技能者の不足や建築物の大型化により、床均し工程を手作業で行うことに限界が見え始めている。
このような作業状況を改善するため、仕上げ板と、この仕上げ板に振動を与える振動機構と、仕上げ板を操作するための操作軸などを備えたコンクリート床均し装置が提案されている（特許文献１参照）。
この装置を用いることによって、未熟な技術者でも必要とされる精度で、且つ素早く床均しを行うことができるようになった。  
特許文献１に記載されているようなコンクリート床均し装置は、出力軸を中心にプロペラ状に回転する羽根形回転鏝と、出力軸を回転駆動させる回転駆動機とを備えたものであり、回転力により床均しを行うものである。
【特許文献１】特開昭６２−１４８７６２号公報
【発明の開示】
【発明が解決しようとする課題】
【０００４】
しかしながら、特許文献１に記載されているコンクリート床均し装置は、羽根形回転鏝を使うので故障が起き易い。
また羽根形回転鏝の均し跡が円形状となることから角部の均しが不可能であった。
一方、バー型の鏝を使って軸を支点に回動させる構造のものも開発されているが、やはり、角部の均しができず汎用性に欠ける。
【０００５】
本発明は、このような、問題点を解決できるものである。
すなわち、本発明の目的は、角部の均しが可能で汎用性の高いコンクリート床均し装置を提供することにある。 
【課題を解決するための手段】
【０００６】
本発明者は、以上のような課題背景をもとに鋭意研究を重ねた結果、コンクリート床均し装置に対して、コンクリート床を均すための均しバーを、回転且つ平行移動が可能に取り付けることで、上記の課題を解決できることを見出し、その知見に基づいて本発明を完成させたものである。
【０００８】
すなわち本発明は、（１）、複数本の脚部を有する支持台と、該支持台に垂直に立設される主枠と、該主枠に支持される揺動部材と、該揺動部材に対して回動可能且つ上下動可能に内挿される上下動軸と、前記揺動部材の姿勢を監視する状態検知手段と、コンクリート床を水平に均すための均し部と、を備え、前記均し部が一対の案内部を有するコの字状支持部材と、それぞれの案内部に摺動自在に嵌め込まれる軸受けと、該軸受けに固定され、コンクリート床を水平に均す均しバーと、を備え、前記コの字状支持部材が上下動軸の下端部に接合されているコンクリート床均し装置に存する。
【０００９】
また本発明は、（２）、前記均し部が前記均しバーを操作するための操作レバーを備えている上記（１）記載のコンクリート床均し装置に存する。
【００１０】
また本発明は、（３）、前記操作レバーが均しバーに対して取り外し可能となっている上記（２）記載のコンクリート床均し装置に存する。
【００１１】
また本発明は、（４）、前記状態検知手段が、吊り下げ錘と、該吊り下げ錘を４側面で取り囲むセンサボックスと、を備え、前記吊り下げ錘が吊り下げられた状態で前記センサボックスの内側に吊り下げられている上記（１）記載のコンクリート床均し装置に存する。
【００１２】
また本発明は、（５）、前記主枠は、その上部に４側面によって取り囲む上記（１）記載のコンクリート床均し装置に存する。
【００１３】
また本発明は、（６）、前記均しバーの下端部に傾斜面が形成されている上記（１）記載のコンクリート床均し装置に存する。
【００１４】
なお、本発明の目的に沿ったものであれば上記（１）から（６）を適宜組み合わせた構成も採用可能である。
【発明の効果】
【００１５】
本発明のコンクリート床均し装置によれば、床均し作業に関して技術が未熟な者であっても、コンクリート床を均すための均し部を簡単に操作するだけで、熟練技術者が行った作業に準ずる精度で床均し作業を行うことができる。
本発明のコンクリート床均し装置は、均し部が回動と平行移動ができるので、角部の均しが可能であり、汎用性が高いので、あらゆる形状の床面を効率よく均すことができる利点がある。
【発明を実施するための最良の形態】
【００１６】
図１は、本発明を模式的に示す説明図である。
本発明のコンクリート床均し装置Ａを単純化して示すと、図１に示すように、打設されたコンクリート床上に載置される支持台Ｐと、支持台Ｐに垂直に立設される支持部材Ｒと、支持部材に支持される回転軸Ｑと、回転軸Ｑに対して直角に配設される均し部５と、で構成される装置である。
コンクリート床均し装置Ａは、均し部５の回転軸Ｑを中心に、回転させてコンクリート床を水平な状態にする。
また均し部５は、平行移動する均しバー５３により均しを行う。
【００１７】
（第１の実施形態）
本発明の一実施形態を、図面を用いて具体的に説明する。
図２は、本実施形態のコンクリート床均し装置を示す斜視図である。
本実施形態のコンクリート床均し装置Ａは、支持台１と、主枠２と、揺動部材３と、状態検知手段４と、均し部５と、を備える。
支持台１は主枠２を下方から支持するものであり、支持面１１と、支持面１１の地面から高さを調節する３つの脚部１２とを備える。
主枠２は、支持面１１に垂直に設けられている。
各脚部１２の下方への突出度合いは調節可能で、各脚部１２の下方への突出度合いを調整することにより、支持面１１を水平にすることができる。
【００１８】
主枠２には、揺動部材３が支持されている。
すなわち、揺動部材３は主枠２の下部に設けられたジョイント２０を介して支持されており、揺動部材３は、ジョイント２０を起点に傾斜が可能である。
【００１９】
主枠２の上部には、４側面によって揺動部材３を取り囲む調節枠２Ａが備わっている。
該調節枠２Ａには、揺動部材３の姿勢を調節するための調整ネジが取り付けられている。
【００２０】
詳しくは、調節枠２Ａの各側面には、揺動部材３の矢印Ｘ方向の姿勢調整を行うための調整ネジ２０Ｘ、２１Ｘ及び揺動部材３の矢印Ｙ方向の姿勢調整を行うための調整ネジ２０Ｙ、２１Ｙが螺合されている。
これらの調整ネジ２０Ｘ、２１Ｘ、２０Ｙ、２１Ｙを調節することにより、揺動部材３の姿勢を調整することができる。
【００２１】
各調整ネジは揺動部材３の各側壁面に当接した状態になっているため、例えば、調整ネジ２０Ｘを締め、且つ調整ネジ２１Ｘを緩めると、揺動部材３は調整ネジ２１Ｘ側に移動する。
また調整ネジ２０Ｙを締め、且つ調整ネジ２１Ｙを緩めると、揺動部材３は調整ネジ２１Ｙ側に移動する。
揺動部材３のＸ方向及びＹ方向の位置決めの調整を、これら４つの調整ネジを介して行うことで、揺動部材３の姿勢の調整（傾斜状態の調整）が容易にできる。
【００２２】
ジョイント２０は、第１揺動軸２１を中心として矢印Ａ方向に回動可能であり、そのため、揺動部材３は、第１揺動軸２１を支点としてこの方向に傾動することができる。
また、揺動部材３はジョイント２０に取り付けられた第２揺動軸２３（第１揺動軸２１とは垂直方向）に枢着され第２揺動軸２３を支点そして矢印Ｂ方向に傾動可能である。
そのため、揺動部材３を任意の傾斜状態にすることができる。
【００２３】
上下動軸３１は、揺動部材３に上下動可能に、且つ回転可能に内挿されている。
また、上下動軸３１の下端部は支持面１１よりも下方に位置し、該下端部にコンクリート床を均すための均し部５が固定されている。
【００２４】
図３は、本実施形態の均し部の拡大斜視図であり、（Ａ）は均しバーを手前に引いた状態を示す図であり、（Ｂ）は均しバーを奥に押し込んだ状態を示す図である。
また、図４は均し部の動きを示す説明図である。
図３に示すように、均し部５は、コの字状支持部材５１と、軸受け５２と、均しバー５３と、を備える。
なお、均し部５は、上下動軸３１の下端部に固定されていることから、上下移動及び回動が可能である（図４参照）。
【００２５】
コの字状部材５１は、互いに平行に配設された一対の案内部５１Ａを有し、それぞれの案内部５１Ａには均しバー５３を摺動可能に案内する軸受け５２が取り付けられている。  そして、軸受け５２にはコンクリート床を均すための均しバー５３が固定されている。
これにより、均しバー５３は案内部５１Ａに沿って前後にも平行移動が可能となる。
従って、均し部自体の回動と均しバー５３の平行移動を各独立又は共同して行うことにより床面の均し跡を如何ようにも形成することができる。
すなわち、本発明のコンクリート床均し装置Ａは、角部を有する床面であっても、効率よく床均しすることができるのである。
なお、均しバー５３は、その下端部でコンクリート床を均していくものであるから、該下端部には傾斜面５３Ａが形成されていることが好ましい（図３（Ｃ）参照）。
【００２６】
また、均しバー５３の両端部には、均しバー５３を動かすための操作レバー５４が取り外し自在に取り付けられている。
この操作レバー５４は、その先端のフック状の部分を均しバー５３の孔に差し入れて引っ掛けて取り付ける。
そして立ち上げて使用する。
そのため均しバー５３は、操作し易いように、一定の範囲で動かせる自由度を有する。
図３（Ｃ）に示すように、均しバー５３に操作レバー５４をヒンジＨにより枢着させることも可能である。
【００２７】
ところで揺動部材３には、揺動部材３の姿勢、傾斜度合いを監視する状態検知手段４が設けられている。
この状態検知手段４は吊り下げ錘４１及びセンサボックス４２で構成されている。
吊り下げ錘４１は、揺動部材３の上部から突出したブラケット３３に取り付けられ垂下している。
センサボックス４２はブラケット３３の真下に設けられており、４側面からなり、この４側面で吊り下げ錘を取り囲んでいる。
各側面には、吊り下げ錘４１の矢印Ｘ方向の接近を検知するＸ方向用センサ４４Ｘ、４５Ｘ、及び矢印Ｙ方向の接近を検知するＹ方向用センサ４４Ｙ、４５Ｙが取付けられている。尚、図では、各センサからが出た配線の一部を示している。
【００２８】
Ｘ方向用センサ４４Ｘ、４５Ｘ、Ｙ方向用センサ４４Ｙ、４５Ｙのそれぞれは、図示しない告知用のランプに接続されており、各側面に吊り下げ錘４１が接近するとランプが点灯するように構成されている。
そのため、揺動部材３が矢印Ｘ方向に過傾斜した姿勢であると、Ｘ方向用センサ４４Ｘ、または、Ｘ方向用センサ４５Ｘに接続されたランプが点灯し、矢印Ｙ方向に過傾斜した姿勢であると、Ｙ方向用センサ４４Ｙ、またはＹ方向用センサ４５Ｙに接続されたランプが点灯して、それらを知らせる。
【００２９】
次に、均し部５を床面に対して水平に調整する方法について説明する。
均し部５は、上下動軸３１に対して直角に配設されているので、該上下動軸３１が内挿されている揺動部材３を床面のＸ方向及びＹ方向に垂直に立てることで、均し部５を床面に対して水平にすることができる。
【００３０】
先ず、揺動部材３をＸ方向について調整するには、Ｘ方向調整ネジ２０Ｘ、２１Ｘの一方を緩め、他方を締めると、揺動部材３は第１揺動軸２１を中心として矢印Ａ方向に揺動（すなわち傾動）する。
【００３１】
このように揺動部材３を矢印Ａ方向に揺動させると、吊り下げ錘４１がＸ方向用センサ４４Ｘ、またはＸ方向用センサ４５Ｘの一方に近づき、他方から離れる。
従って、Ｘ方向用センサ４４Ｘ、４５Ｘの両方が感知しない状態に揺動部材３を調整することによって、揺動部材３はＸ方向に対して垂直になり、それに伴い、均し部５もＸ方向に対して水平になる。 
【００３２】
Ｙ方向の調整も、前記Ｘ方向の調整と同様である。
即ち、Ｙ方向調整ネジ２０Ｙ、２１Ｙの一方を緩めて他方を締めると、揺動部材３は第２揺動軸２３を中心として矢印Ｂ方向に揺動するので、揺動部材３のＢ方向の姿勢を調整できる。
この場合も前記と同様に、Ｙ方向用センサ４４Ｙ、４５Ｙの両方が感知しない状態に揺動部材３を調整することにより、揺動部材３はＹ方向に対して垂直になる。
そして、それに伴い均し部５はＹ方向に対して水平になる。 
以上により、均し部５は床面に対して完全に水平になるのである。
【００３３】
以上、本発明を説明してきたが、本発明は実施の形態に限定されることなく種々の変形例が可能である。
例えば、打設されたコンクリートの締固めも行えるように、均しバーに加振機を内挿させることも可能であり、この場合、均しバーの移動に支障をきたさないように加振機から外部に配線する。
均し部を自動的に回動或いは上下移動させるため、図示しない駆動手段を介して行うこともできる。
同様に、揺動部材の位置決めを行う各調整ネジの回動、或いは、脚部の移動を自動で行うようにすることも可能である。
また、それらをコンピュータにより制御することも当然可能である。
【図面の簡単な説明】
【００３４】
【図１】図１は、本発明の構成を模式的に示す説明図である。
【図２】図２は、実施形態のコンクリート床均し装置の全体を示す斜視図である。
【図３】図３は、実施形態の均し部の拡大斜視図であり、（Ａ）は均しバーを手前に引いた状態を示し、（Ｂ）は、均しバー奥に押し込んだ状態を示し、（Ｃ）は、ヒンジにより枢着させた操作レバーを示す。
【図４】図４は、均し部の動きを示す説明図である。
【符号の説明】
【００３５】
１・・・支持台
１１・・・支持面
１２・・・脚部
２・・・主枠
２Ａ・・・調節枠
２０・・・ジョイント
２０Ｘ・・・Ｘ方向の調整ネジ
２０Ｙ・・・Ｙ方向の調整ネジ
２１Ｘ・・・Ｘ方向の調整ネジ
２１Ｙ・・・Ｙ方向の調整ネジ
２１・・・第１揺動軸
２２・・・揺動支持板
２３・・・第２揺動軸
３・・・揺動部材
３１・・・上下動軸
３３・・・ブラケット
４・・・状態検知手段
４１・・・錘
４２・・・吊り下げ手段
４３・・・センサボックス
４４Ｘ・・・Ｘ方向用センサ
４４Ｙ・・・Ｙ方向用センサ
４５Ｘ・・・Ｘ方向用センサ
４５Ｙ・・・Ｙ方向用センサ
５・・・均し部
５１・・・コの字状支持部材
５１Ａ・・・案内部
５２・・・軸受け
５３・・・均しバー
５３Ａ・・・傾斜面
５４・・・操作バー
Ａ・・・コンクリート床均し装置
Ｐ・・・支持台
Ｑ・・・回転軸
Ｒ・・・支持部材
Ｓ・・・均し部
【要約】
【課題】本発明は、角部の均しが可能で汎用性の高いコンクリート床均し装置を提供すること。 
【解決手段】複数本の脚部１２を有する支持台１と、該支持台１に垂直に立設される主枠２と、該主枠２に支持される揺動部材３と、該揺動部材３に対して回動可能且つ上下動可能に内挿される上下動軸３１と、前記揺動部材３の姿勢を監視する状態検知手段４と、コンクリート床を水平に均すための均し部５と、を備え、前記均し部５が前記上下動軸３１の下端部に接合されているコンクリート床均し装置Ａ。
【選択図】図１【図１】
0004214188.tif 000002
【図２】
0004214188.tif 000003
【図３】
0004214188.tif 000004
【図４】
0004214188.tif 000005